(57)【要約】      （修正有）【課題】金属材と非金属材とからなったが、耐衝撃性が向上することができ、且つ、打撃時の音声も澄んで高らかになるゴルフ・クラブヘッドを提供する。【解決手段】その前面が開口している中空の本体部１とこの本体部の前面に前記開口１０を遮蔽するように取り付けられていてボールを打撃するフェース２とからなったゴルフ・クラブヘッドにおいて、前記本体部は、前記前面開口及び他の開口を備えている金属製枠体１１と、前記他の開口を遮蔽するように前記金属製枠体に付設されているカバー体１２とからなり、前記カバー体は、主として非金属製で、その中に複数の金属製補強シート１３が埋設されていることを特徴とする。【選択図】図１
0003106250.tif 000002
【実用新案登録請求の範囲】
【請求項１】
その前面が開口している中空の本体部とこの本体部の前面に前記開口を遮蔽するように取り付けられていてボールを打撃するフェースとからなったゴルフ・クラブヘッドにおいて、
前記本体部は、前記前面開口及び他の開口を備えている金属製枠体と、前記他の開口を遮蔽するように前記金属製枠体に付設されているカバー体とからなり、
前記カバー体は、主として非金属製で、その中に複数の金属製補強シートが埋設されていることを特徴とするゴルフ・クラブヘッド。
【請求項２】
前記他の開口は前記枠体の上面に開けられていることを特徴とする請求項１に記載のゴルフ・クラブヘッド。
【請求項３】
前記他の開口は前記枠体の下面に開けられていることを特徴とする請求項１に記載のゴルフ・クラブヘッド。
【請求項４】
前記他の開口は、前記枠体の上下面にそれぞれ一つ開けられていることを特徴とする請求項１に記載のゴルフ・クラブヘッド。
【請求項５】
前記複数の補強シートは、それぞれ長尺状であって、前後方向に延伸しながら他の補強シートと共に左右排列していることを特徴とする請求項２〜４のいずれの一項に記載のゴルフ・クラブヘッド。
【請求項６】
前記複数の補強シートは、それぞれ長尺状であって、左右方向に延伸しながら他の補強シートと共に前後排列していることを特徴とする請求項３〜５のいずれの一項に記載のゴルフ・クラブヘッド。
【考案の詳細な説明】
【技術分野】
【０００１】
本考案は、ゴルフ・クラブヘッドに関し、特に金属と非金属との二種材料からなったゴルフ・クラブヘッドに関する。
【背景技術】
【０００２】
ゴルフは、通常広い緑地にやれ、景観の豊かな場所にやるので、長閑且つ高雅で、リラックスの効果が高くて、興味を深くそそる運動である。特に、ゴルフ・クラブヘッドがボールに触る瞬間、そのカチンとした音は確かに魅力たっぷりあってゴルフプレヤを大いに楽しめる。ところで、周知のように、ゴルフ・クラブはその運用方式や対応地形により、色々なタイプがあり、例えばウッド・クラブ、アイアン・クラブ及びパター・クラブなどがある。また、クラブヘッドを構成する材質もそれによって異なり、一般に金属材、木材及び炭素繊維や複合材など非金属材の使用が多い。ウッド・クラブヘッドを例として、現在は金属材と炭素繊維とを合わせて製造したのが普通である。このようなゴルフ・クラブヘッドは、全体が金属材だけからなったクラブヘッドに比べて重量が軽くなるが、全体構造の強度が下がって耐衝撃性が低くなるので、ボールを打撃する瞬間による衝撃を頻りに受けると変形しやすい。また、前記炭素繊維と金属材との二種材料からなったゴルフ・クラブヘッドは、その炭素繊維の介入により打撃時の音声周波数が変わり、従来のようなカチンとしたものではなく、鬱陶しい音になり、運動の楽しみを十分に発揮することができない欠点もある。
【考案の開示】
【考案が解決しようとする課題】
【０００３】
上記に鑑みて、本考案の目的は、金属材と非金属材との二種材料からなったが、従来より耐衝撃性を向上させることができるゴルフ・クラブヘッドを提供しようとする。
本発明のもう一つの目的は、打撃時の音声を澄ますことができるゴルフ・クラブヘッドを提供しようとする。
【課題を解決するための手段】
【０００４】
前記目的を達成するために、本考案は、その前面が開口している中空の本体部とこの本体部の前面に前記開口を遮蔽するように取り付けられていてボールを打撃するフェースとからなったゴルフ・クラブヘッドにおいて、前記本体部は、前記前面開口及び他の開口を備えている金属製枠体と、前記他の開口を遮蔽するように前記金属製枠体に付設されているカバー体とからなり、前記カバー体は、主として非金属製で、その中に複数の金属製補強シートが埋設されていることを特徴とするゴルフ・クラブヘッドを提供する。
【考案の効果】
【０００５】
前記構成によるゴルフ・クラブヘッドは、非金属製のカバー体の中に複数の金属製補強シートが埋設されているので、耐衝撃性が向上して変形しやすくなく、且つ、打撃時の音色が澄んで高らかになり、従来の金属製のもののカチンとした音に劣らない。
【考案を実施するための最良の形態】
【０００６】
以下、本考案の好ましい実施形態を詳しく説明する。なお、以下の説明においては、そのサイズに拘わらず、略同一の機能及び構成を有する構成要素については、同一符号を付し、重複説明は必要な場合にのみ行う。
【０００７】
まず、図１と図２を参照しながら本考案のゴルフ・クラブヘッドの第１の実施形態例を説明する。この第１の実施形態例のゴルフ・クラブヘッドは、その前面が開口している（以下、前面開口１０と称す）中空の本体部１と、この本体部１の前面に前記開口１０を遮蔽するように取り付けられていてボールを打撃するフェース２とからなっている。前記本体部１は、金属製枠体１１とカバー体１２とからなったものである。前記金属製枠体１１は、前記のように前記前面開口１０を備えているほか、その上面にも他の開口１１１が開設してある。前記カバー体１２は、前記他の開口１１１を遮蔽するように前記金属製枠体１１に付設されており、即ち、図１に示すように前記枠体１１の上面に取り付けられている。また、前記カバー体１２は、本考案において、主として炭素繊維製であり、且つ、その中に複数の金属製補強シート１３が埋設されている。該複数の補強シート１３は、それぞれ長尺状であって、前後方向に延伸しながら他の補強シートと共に左右排列している。
【０００８】
前記他の開口１１１の開設位置は前記第１の実施形態例と同様に前記枠体１１の上面に開けられているように限定されず、図３と図４の第２の実施形態例に示すように前記枠体１１の下面に開けられることもできる。このように形成されたゴルフ・クラブヘッドは、複数の金属製補強シート１３の埋設されている前記カバー体１２が前記枠体１１の下面に取り付けられているので、重心が低くなり、ボールに対する安定性と制御性を好ましく確保することができ、打撃距離もそれに従って長くなることができる。
【０００９】
図５と図６に示すのは本考案の第３の実施形態例である。この実施形態例のゴルフ・クラブヘッドの構成は前記２の実施形態例とほぼ同じであり、異なるところは前記他の開口１１１が前記枠体１１の上下面にそれぞれ一つ開けられていることにある。即ち、前記枠体１１の上下面に複数の金属製補強シート付きの前記カバー体１２がそれぞれ一つ取り付けられている。また、他の異なるとことは前記複数の補強シートの排列方式にある。この実施形態例において、前記複数の補強シートは、前記２の実施形態例のように前後方向に延伸しなく、左右方向に延伸しながら他の補強シートと共に前後排列している。このような排列方式も前記のようにゴルフ・クラブヘッドの耐衝撃性を向上させる効果がある。
【産業上の利用可能性】
【００１０】
前記のように、本考案のゴルフ・クラブヘッドは、炭素繊維の非金属製カバー体の中に複数の金属製補強シートを埋設することだけにより、耐衝撃性を向上させることができるので、ボールを打撃する瞬間による衝撃を頻りに受けても変形しがたいのみならず、打撃時の音色が澄んで高らかになってプレヤが聴覚上の享受を得ることができる利点があるほか、前記カバー体の製造や設計時、前記複数の補強シートの埋設位置と大小によってクラブヘッドの重心を調節することができる利点もある。
【００１１】
以上説明した実施の形態は、あくまでも本考案の技術的内容を明らかにする意図のものにおいてなされたものであり、本考案はそうした具体例に限定して狭義に解釈されるものではなく、本考案の精神とクレームに述べられた範囲で、いろいろと変更して実施できるものである。
【図面の簡単な説明】
【００１２】
【図１】本考案のゴルフ・クラブヘッドの第１の実施形態例の分解斜視図である。
【図２】前記第１の実施形態例の縦断面図である。
【図３】本考案のゴルフ・クラブヘッドの第２の実施形態例の底面図である。
【図４】前記第２の実施形態例の縦断面図である。
【図５】本考案のゴルフ・クラブヘッドの第３の実施形態例の上面図である。
【図６】前記第３の実施形態例の縦断面図である。
【符号の説明】
【００１３】
１  本体部
１０  前面開口
１１  金属製枠体
１１１  他の開口
１２  カバー体
１３  補強シート
２  フェース
【図１】
0003106250.tif 000003
【図２】
0003106250.tif 000004
【図３】
0003106250.tif 000005
【図４】
0003106250.tif 000006
【図５】
0003106250.tif 000007
【図６】
0003106250.tif 000008